(57)【要約】      （修正有）【課題】ゴルフクラブヘッドにボールが打撃される際、グラウンドゴルフクラブヘッドのどの部位にボールが打撃されてもグラウンドゴルフクラブとグリップを握っているゴルファーの手との間における捻りを最小化し、ゴルファーが意図した方向にボールを容易に行かせることができるグラウンドゴルフクラブを提供する。【選択手段】グラウンドゴルフクラブのシャフトの末端とゴルフクラブヘッドを連結する二本以上に分離されたブリッジを装着することにより、グラウンドゴルフ用ボールがヘッドの前方部位（Ｔｏｅ）や後方部位（Ｈｅｅｌ）に打撃されてもグリップとシャフトを通して伝達された力が二本以上に分離されたブリッジによりヘッド全般に偏りなく伝達されることにより、ヘッドの捻りが最小化されると共にボールをゴルファーが意図した方向に行けるようにした。【選択図】図１
0003150686.tif 000002
【実用新案登録請求の範囲】
【請求項１】
シャフトとヘッドとからなるグラウンドゴルフクラブにおいて、前記シャフトに伝達された力を前記ゴルフクラブヘッドに偏りなく分散させるためシャフトの末端とゴルフクラブのヘッドを連結するブリッジを追加で含むことを特徴とするグラウンドゴルフクラブ。
【請求項２】
前記ブリッジが二本以上に分離された形態であることを特徴とする請求項１に記載のグラウンドゴルフクラブ。
【考案の詳細な説明】
【技術分野】
【０００１】
本考案はグラウンドゴルフクラブに関するものであり、より詳しくはゴルフクラブヘッドにボールが打撃される際、グラウンドゴルフクラブヘッドのどの部位にボールが打撃されてもグラウンドゴルフクラブとグリップを握っているゴルファーの手との間における捻りを最小化し、ゴルファーが意図した方向にボールを容易に行かせることができるように考案されたグラウンドゴルフクラブに関するものである。
【背景技術】
【０００２】
グラウンドゴルフは韓国の各市道で生活体育の一環として次第に普及されつつある球技運動の一種で、特にゲートボールとゴルフとのルールを一定部分応用して開発されたゲームであり、生活体育協議会ではグラウンドゴルフのための用具の規格を定めており、現在はゴルフ世界大会も開催されている程一般人にも親しくなった大衆化されたスポーツである。
【０００３】
従来のグラウンドゴルフクラブはグラウンドゴルフクラブヘッドの上段の中央部位を貫通するその中心に一本のシャフトを挿入させ、ヘッドとシャフトを固定させるためにボルトを挿入させ締結するか接着剤を用いてヘッド部位とシャフトを固定させてきた（例えば、特許文献１参照）。
【０００４】
従って、グラウンド用ゴルフボールがヘッドの前方部位(Toe)や後方部位(Heel)にボールが打撃される際、グリップ(Grip)に強い力を与えなければ、グラウンド用ゴルフクラブのヘッドがボールが打撃される地点に力が集中されることにより一本のシャフトを中心に回転をする力が強く発生し、手とグリップとの間に微細な滑りが生じて捻りが生じ、その結果打撃されたボールは瞬間的な捻りによりグラウンドゴルファーが意図した方向にボールを行かせることが容易ではなかった。特に、本グラウンドゴルフを楽しむ大多数の人が老人であることを勘案する時、このような現象は更に加重される。
【０００５】
特にグラウンドゴルフの競技ルールにある最長距離のホールの50メートル距離を向かってボールを加撃する際、バックスイングの大きさが他のホールより大きくなければならないことによりまだ熟達していないグラウンドゴルファーがボールをグラウンドゴルフクラブヘッドの中心部に正確に加撃するのが容易ではないことでゴルファーが競技の途中、グラウンドゴルフクラブヘッドの前方部位(Toe)や後方部位(Heel)の部位にボールが加撃され、ゴルファーが意図した方向にボールを行かせることができない場合が時々起こってきた（参照：Youngshot-Kika groundゴルフ、（ウェブサイト））。
【０００６】
一方、ボールを打撃する一般の運道具において打撃面の上、下、左、右のどの部分にボールが打撃されても運動する人が意図した方向にボールが行けるようにする技術が発展されてきた。一例としてテニスラケットの初期製品はテニスラケット面の中央に一本のシャフトが装着されたものであったものの、今のほとんどのテニスラケットはテニスボールが打撃される面を中心に上、下を取り囲む二本状のラケットを用いている。これはボールが上、下、左、右のどの部分に加撃されても二本で形成されたシャフトの役割によって力を全般的な部分に偏りなく伝達し、捻りを最小化できるようにするためである。
【先行技術文献】
【特許文献】
【０００７】
【特許文献１】特開2000−237363号公報
【考案の概要】
【考案が解決しようとする課題】
【０００８】
ゴルファーがグラウンドゴルフゲームをする時グラウンドゴルフ運動のルール上、最も長い距離と規定された50メートルの距離から最も短い距離の15メートルの距離まで総８ホールを経て１ラウンドを終わることになるものの、従来のグラウンドゴルフクラブを用いてゴルファーが競技をする場合、グラウンドゴルフクラブヘッド表面の中心を基準に前方部位(Toe)や後方部位(Heel)にボールが加撃される際、シャフト上端のグリップ部位を握っている手にもっと強い力を与えなければ、手とシャフトグリップとの間に微細な滑りが生じて捻りが生じ、その結果打撃されたボールは瞬間的な捻りによりグラウンドゴルファーがボールを意図した方向に行かせることが容易ではなかった。特に、最も長い距離の50メートルの目標でボールを打撃する場合、ゴルファーがグラウンドゴルフクラブでボールを加撃する時、経験に富むゴルファーらもボールをゴルフクラブヘッドの中央部位に一定して打撃することは実際に頻繁に容易ではない。
【０００９】
従って、このような状況で本考案は、ゴルフクラブヘッドの中央部位ではない前方部位(Toe)や後方部位(Heel)にボールが打撃されてもグラウンドゴルフクラブグリップでシャフトを通して伝達された力がグラウンドゴルフクラブヘッド上端部の前方部と後方部に二本に分離されたブリッジにより適切に分配され、これにより手とグラウンドゴルフクラブのグリップとの間で瞬間的に発生する滑りを最小化させ、ゴルファーが意図した方向に適切にボールを行かせることができるように考案された、シャフト末端とゴルフクラブヘッドを連結する、数本に分けられたブリッジを含むことを特徴とするグラウンドゴルフクラブに関するものである。
【課題を解決するための手段】
【００１０】
本考案はグラウンドゴルファーがボールを打撃する際、シャフトを通して伝達された力をゴルフクラブヘッドの前方部位と後方部位に偏りなく分散させる為のシャフト終端とゴルフクラブヘッドとを連結するブリッジを装着することを特徴とするグラウンドゴルフクラブに関するものであり、このことでゴルフクラブヘッドの前方部位(Toe)と後方部位(Heel)にボールが打撃されても前記ブリッジにより力がゴルフクラブヘッドの全般的な部分に分散されると共に、グラウンドゴルフクラブを握っている手とグラウンドゴルフクラブのグリップとの間の滑りが最小化され、グラウンドゴルファーが意図した方向に安定的にボールを行かせることができるようになる。
【考案の効果】
【００１１】
本考案はグラウンドゴルフクラブヘッドの上端部の前方部と後方部に二本又はその以上のブリッジを置き、ボールがゴルフクラブヘッドの前方部位(Toe)と後方部位(Heel)とに打撃されても二本以上に分離されたブリッジによりシャフトから伝達された力が適切にヘッド全般に分配され、グラウンドゴルフクラブのグリップを握っている手とグリップ間の滑りが最小化され、ゴルフクラブの捻りが緩和されると共にグラウンドゴルファーが意図した方向にボールを行かせることができるように考案されたグラウンドゴルフクラブに関するものである。
【図面の簡単な説明】
【００１２】
【図１】本考案の一実施例によるグラウンドゴルフクラブを示す図面である。
【図２】本考案の一実施例による二本のブリッジ部品を示す図面である。
【図３】本考案の一実施例による二本のブリッジ部品とヘッド前端板の結合を示す図面である。
【図４】本考案の一実施例によるヘッド前端板とヘッド後端板の結合順序を示す図面である。
【図５】本考案の一実施例によるヘッド前端板とシャフトが結合される順序を示す図面である。
【図６】本考案の一実施例によるヘッド胴部を成す総部品を示す図面である。
【考案を実施するための形態】
【００１３】
本考案は、シャフトとヘッドからなるグラウンドゴルフクラブにおいて前記シャフトに伝達された力を前記ゴルフクラブヘッドに偏りなく分散させるためにシャフトの末端とゴルフクラブのヘッドとを連結するブリッジ(3)を追加に含むことを特徴とする、グラウンドゴルフクラブに関するものである。
【００１４】
さらに、本考案において、ブリッジ(3)は連結部(8)の端部(21)から二本以上に分離されたものであることを特徴とする。
【００１５】
本考案において前記ブリッジ(3)は連結部(8)から二本以上に分離され、ゴルフクラブヘッド胴部(5)、ブリッジ(3)及びシャフト(2)を順番に固定させるためにシャフト(2)の末端とブリッジ(3)とをボルトを挿入して締結するか接着剤等の適切な手段を用いて固定させる。
【００１６】
ブリッジ(3)とヘッド胴部(5)の結合の一様態は、ブリッジ(3)の下端部(9)をグラウンドゴルフクラブヘッド前端板(15)に予め形成させた溝(16)に挿入させることである。又は、ブリッジ(3)とヘッド胴部(5)を連結させるための適切な連結手段（例：接着剤等）を用いることができる。
【００１７】
本考案においてブリッジ(3)はシャフト(2)に伝達された力をゴルフクラブヘッドに偏りなく分散させるために採用されたものであるので、そのような目的のための任儀の形態、例えば二本以上に分離された形態又はゴルフクラブヘッドの上端部の前方部から後方部まで連続的に繋がった形態もいい。
【００１８】
好ましい様態で、本考案は、グラウンドゴルフクラブヘッドの上端部の前方部と後方部に二本になったブリッジを置いてボールがゴルフクラブヘッドの前方部位(Toe)と後方部位(Heel)とに打撃されても二本に分離されたブリッジによりシャフトから伝達された力が適切にヘッド全般に分配されるようにしたものである。
【００１９】
追加の様態で、本考案はシャフトから伝達された力を適切にヘッド全般に分配されるようにするため三本以上に分離されたブリッジを含むことができる。
【００２０】
本考案を添付の図面を参照して詳細に説明すると、次の通りである。
本考案のシャフト(2)は、木材、プラスチック又はアルミニウムの材料からなるグラウンドゴルフクラブのヘッド胴部(5)をブリッジ(3)を通して互いに連結・固定して成されるグラウンドゴルフクラブに関するものであり、シャフト(2)と結合させた連結部(8)の端部(21)から二本に分離されたブリッジ(3)の下端部(9)を、図３の図示のようにグラウンドゴルフクラブヘッド前端板(15)に形成させた溝(16)に挿入させる。
【００２１】
本考案の一様態で、前記シャフト(2)とブリッジ(3)とは互いに連結されている一体的な形態でもあり得る。
【００２２】
グラウンドゴルフクラブヘッド前端板(15)には図３の図示のようにグラウンドゴルフクラブヘッド後端板(18)を装着させるためのねじ(11)を挿入し、その挿入されたねじ(11)は木材、プラスチック又はアルミニウムを材料とする図４のヘッド後端板(18)と結合され、ヘッド前端板(15)の溝(16)に挿入された二本に分離されたブリッジ(3)の下端部(9)を密着させながら図５の図示のようにヘッド胴部(5)の一部を成す。
【００２３】
図６で示したようにヘッド前端板(15)とヘッド後端板(18)が締結された後、その二つの板の底面一部には同一な大きさの鉄板(19)で低部分に接着剤で装着した。これはグラウンドゴルフクラブが地面と接触する際、木材、プラスチック又はアルミニウムからなるグラウンドゴルフクラブヘッドの材質を保護し、その磨耗を減らすためである。なお、ボールが打撃されるグラウンドゴルフクラブヘッドの前面部(22)にはゴム又はシリコン等で作られた軟質板(20)を接着ボンドで接合し、グラウンドゴルファーがボールを打撃する際、ボールとグラウンドゴルフクラブで発生する衝撃を一部吸収するようにした。
【００２４】
図１の中、未説明の符号A及びBは連結部(8)の端部(21)から二本に分離されたブリッジ(3)がシャフト(2)から伝達された力を分散させる位置を示したものでありAが前方部位(toe)、Bが後方部位(heel)である。
【００２５】
図６の中、未説明の符号C及びDはゴルファーがボールを打撃するために姿勢を取った時に上から見えるヘッド上部の前方部(C)と後方部(D)をそれぞれ示したものである。
以上で説明したものは、本グラウンドゴルフクラブの最も好ましい様態による二本のブリッジ(3)を装着したグラウンドゴルフクラブの一例に過ぎないものであり、本考案は前記の実施例に限定しない。従って、以下の請求範囲で請求する通り本考案の要旨からずれることなく本考案が属する分野において通常の知識を有する者なら誰も多様な変更実施が可能な範囲まで本考案の技術的精神があると言えるであろう。
【符号の説明】
【００２６】
1．グリップ
2．シャフト
3．ブリッジ
5．ヘッド胴部
6．結合部
8．連結部
9．下端部
11．ねじ
15．ヘッド前端板
16．溝
18．ヘッド後端板
19．鉄板
20．軟質板
21．端部
22．前面部
A. 前方部位(toe)
B. 後方部位(heel)
C. 前方部
D. 後方部
【図１】
0003150686.tif 000003
【図２】
0003150686.tif 000004
【図３】
0003150686.tif 000005
【図４】
0003150686.tif 000006
【図５】
0003150686.tif 000007
【図６】
0003150686.tif 000008